(57)【特許請求の範囲】
【請求項１】
人体感知センサ，電磁バルブを含むバルブユニット及びその作動を制御する制御部を有する自動洗浄装置を小便器本体の上側の上部カバー内部に収納して成り、該人体感知センサによる人体感知に基づいて該電磁バルブを開弁し、該小便器本体の放水部より洗浄水を放水して便器洗浄を自動的に行う自動洗浄装置付小便器において、
前記バルブユニットの少なくとも２箇所を取付プレートで支持した状態で該取付プレートを介して前記小便器本体又は前記上部カバーに取付固定するようになすとともに、該２箇所の一方を該取付プレートの第一支持部にねじ固定し、他方については該取付プレートの第二支持部に設けた開放形状の嵌込凹部に該開放部を通じて嵌め込んで、該第二支持部により下側から支持させるようになしたことを特徴とする自動洗浄装置付小便器。
【請求項２】
請求項１に記載の小便器において、前記第二支持部には前記嵌込凹部に沿って対応した形状の弾性部材を装着し、前記バルブユニットを該弾性部材を介して且つ該弾性部材を弾性圧縮させた状態で該嵌込凹部に嵌め込むようになしたことを特徴とする自動洗浄装置付小便器。
【請求項３】
請求項１，２の何れかに記載の小便器において、前記バルブユニットには軸端部にフランジ部と該フランジ部に続いて給水管接続用の雄ねじ部とを設け、該雄ねじ部に螺合したナットと該フランジ部とで前記第一支持部を軸方向に挟み付ける状態にねじ固定するようになしたことを特徴とする自動洗浄装置付小便器。
【請求項４】
請求項３に記載の小便器において、前記第一支持部には開放形状の嵌込凹部が設けてあり、該嵌込凹部内に前記バルブユニットを該開放部を通じて嵌め込んだ上、前記雄ねじ部とナットとにより該バルブユニットを該第一支持部にねじ固定するようになしたことを特徴とする自動洗浄装置付小便器。
【請求項５】
請求項４に記載の小便器において、前記第一支持部には前記バルブユニットの管軸方向に沿って突き出した掛止爪が設けてあり、該掛止爪を該バルブユニットの外面に掛止させるようになしたことを特徴とする自動洗浄装置付小便器。
【発明の詳細な説明】
【０００１】
【発明の属する技術分野】
この発明は人体感知センサによる人体感知に基づいて小便器を自動洗浄する自動洗浄装置付の小便器に関し、詳しくはその自動洗浄装置を一体に備えた小便器に関する。
【０００２】
【従来の技術】
従来、人体感知センサ，電磁バルブを含むバルブユニット及びその作動を制御する制御部を有する自動洗浄装置を小便器本体の上側の上部カバー内部に収納し、その人体感知センサによる人体感知に基づいて電磁バルブを開弁し、小便器本体の放水部より洗浄水を放水して便器洗浄を自動的に行う自動洗浄装置付小便器が公知である。
【０００３】
図８〜１０はこの種自動洗浄装置付小便器の従来の一例を示している。
図８において、２００は鉢２０２を備えた陶器製の小便器本体で、２０４はその上側の上部カバーである。
小便器本体２００の上面には自動洗浄装置２０６が組み付けられており、この自動洗浄装置２０６が上部カバー２０４の内部に収納され、隠蔽状態とされている。
尚、２０８は小便器本体２００の垂受部であり、２１０は上部カバー２０４に設けられたセンサ窓部である。
【０００４】
自動洗浄装置２０６は、図９に示しているように光電式の人体感知センサ２１２とバルブユニット２１４とを有している。
人体感知センサ２１２は、上記センサ窓部２１０に臨む位置においてセンサケーシング２１６内部に設けられている。
尚、センサケーシング２１６内部には後述の電磁フラッシュバルブ２３８の作動制御を行う制御部が組み込まれており、センサケーシング２１６から延び出したカールコード２４６を通じて電磁フラッシュバルブ２３８及び後述の発電機２４０等に電気的に接続されている。
【０００５】
バルブユニット２１４は、管状をなすボデー２１７を有しており、その軸方向一端側が一次側の可撓性の内部給水管２１８を介して壁の内部に埋込配管された給水元管に接続されている。
また他端側が二次側の内部給水管２２０を介して小便器本体２００の放水部２２４に接続されている。
【０００６】
放水部２２４は、図９（Ｂ）に示しているように陶器製且つ小便器本体２００に一体に形成されており、その内部に給水室２２６を有していて、バルブユニット２１４を介して供給された洗浄水をここに一旦収容するようになっている。
【０００７】
給水室２２６に収容された洗浄水は、続いて後側の連通孔２２８を通じて放水室２３０へと流出し、更に引き続いてその放水室２３０に連通する状態で小便器本体２００の鉢面に沿って形成された多数の射水孔２３２から下向きに射水され、鉢面の洗浄を行う。
【０００８】
給水室２２６内の洗浄水はまた、前側の連通孔２３４を通じて図８に示すリム２３６内部のリム水路へと流出し、そして垂受部２０８に形成された射水孔から鉢２０２内部に射水され、鉢２０２の底面を洗浄する。
【０００９】
上記バルブユニット２１４には電磁フラッシュバルブ２３８及び発電機２４０が備えられており、その電磁フラッシュバルブ２３８の開弁及び閉弁によって、放水部２２４への洗浄水の給水及び停止がなされるようになっている。
尚、この例において電磁フラッシュバルブ２３８は主弁２４２とその主弁２４２の開閉をコントロールする電磁パイロットバルブ２４４とから成っている。
【００１０】
発電機２４０は、ボデー２１７内部の通水路に位置して水流により回転する羽根車を有しており、その羽根車の回転によって発電を行う。この発電機２４０にて生じた電力は、図示を省略する蓄電池に蓄えられる。
【００１１】
小便器本体２００の上面には、図８及び図９に示しているように金属製の取付プレート２４８が固定されており、その取付プレート２４８を介して、バルブユニット２１４が小便器本体２００の上面に取付固定されている。
【００１２】
図１０にその取付プレート２４８へのバルブユニット２１４の固定構造を詳しく示してある。
この取付プレート２４８は、図１０に示しているように上向きに起立した形態の第一支持部２５０及び第二支持部２５２を有しており、それらに対してバルブユニット２１４が２箇所においてねじ固定されている。
【００１３】
即ち、バルブユニット２１４には軸端部にフランジ部２５４と給水管接続用の雄ねじ部２５６とが設けてあり、その雄ねじ部２５６が第一支持部２５０の挿通孔２５８に挿通された状態でそこに締付ナット２６０が螺合され、それら締付ナット２６０とフランジ部２５４とで第一支持部２５０を軸方向に挟み付ける状態で、バルブユニット２１４の一方の軸端部が第一支持部２５０にねじ固定されている。
挿通孔２５８に挿通された雄ねじ部２５６には、更に袋ナット２６２が螺合され、以ってバルブユニット２１４と一次側の内部給水管２１８とが接続状態とされている。
【００１４】
バルブユニット２１４にはまた、他の固定箇所において舌片状の被固定部２６４が一体に形成されており、そこにおいてバルブユニット２１４がボルト２６６により第二支持部２５２にねじ固定されている。
【００１５】
【発明が解決しようとする課題】
しかしながらこれら図８〜図１０に示す従来の自動洗浄装置付小便器の場合、バルブユニット２１４を取付プレート２４８を介して小便器本体２００に取付固定するに際して、予めバルブユニット２１４に舌片状の被固定部２６４を形成しておいた上で、その２箇所のそれぞれをねじにて固定しなければならず、上記舌片状の被固定部２６４の形成によってバルブユニット２１４の構造が複雑化し、また重量も重くなってコストも高くなる上に、２箇所のそれぞれでねじの締付けを行って固定作業を行わないといけないために組付けに手間がかかるという問題があった。
【００１６】
【課題を解決するための手段】
本発明の自動洗浄装置付小便器はこのような課題を解決するために案出されたものである。
而して請求項１のものは、人体感知センサ，電磁バルブを含むバルブユニット及びその作動を制御する制御部を有する自動洗浄装置を小便器本体の上側の上部カバー内部に収納して成り、該人体感知センサによる人体感知に基づいて該電磁バルブを開弁し、該小便器本体の放水部より洗浄水を放水して便器洗浄を自動的に行う自動洗浄装置付小便器において、前記バルブユニットの少なくとも２箇所を取付プレートで支持した状態で該取付プレートを介して前記小便器本体又は前記上部カバーに取付固定するようになすとともに、該２箇所の一方を該取付プレートの第一支持部にねじ固定し、他方については該取付プレートの第二支持部に設けた開放形状の嵌込凹部に該開放部を通じて嵌め込んで、該第二支持部により下側から支持させるようになしたことを特徴とする。
【００１７】
請求項２のものは、請求項１に記載の小便器において、前記第二支持部には前記嵌込凹部に沿って対応した形状の弾性部材を装着し、前記バルブユニットを該弾性部材を介して且つ該弾性部材を弾性圧縮させた状態で該嵌込凹部に嵌め込むようになしたことを特徴とする。
【００１８】
請求項３のものは、請求項１，２の何れかに記載の小便器において、前記バルブユニットには軸端部にフランジ部と該フランジ部に続いて給水管接続用の雄ねじ部とを設け、該雄ねじ部に螺合したナットと該フランジ部とで前記第一支持部を軸方向に挟み付ける状態にねじ固定するようになしたことを特徴とする。
【００１９】
請求項４のものは、請求項３に記載の小便器において、前記第一支持部には開放形状の嵌込凹部が設けてあり、該嵌込凹部内に前記バルブユニットを該開放部を通じて嵌め込んだ上、前記雄ねじ部とナットとにより該バルブユニットを該第一支持部にねじ固定するようになしたことを特徴とする。
【００２０】
請求項５のものは、請求項４に記載の小便器において、前記第一支持部には前記バルブユニットの管軸方向に沿って突き出した掛止爪が設けてあり、該掛止爪を該バルブユニットの外面に掛止させるようになしたことを特徴とする。
【００２１】
【作用及び発明の効果】
上記のように請求項１のものは、バルブユニットの２箇所を取付プレートで支持させるようになし、そしてその一方を取付プレートの第一支持部にねじ固定し、他方については第二支持部に設けた嵌込凹部に嵌め込んでこれを下側から支持させるようになしたもので、この請求項１の小便器の場合、バルブユニットの組付けに際して１箇所のみねじ固定するだけで良く、他の箇所については単に第二支持部に嵌め込むだけで良いため、組付けの手間が軽減し組付性が良好となるとともに、第二支持部側においては単にバルブユニットを嵌込凹部に嵌め込むだけで良いため、従来のように舌片状の被固定部を設けておいてその被固定部を第二支持部にねじ固定するといった必要がなく、従って予めバルブユニットに舌片状の被固定部を一体に形成しておく必要がなくなり、バルブユニットの構造を単純化し、またその重量を軽量化できる利点が得られる。
【００２２】
この場合において、上記嵌込凹部は上向きに開口した略Ｕ字状ないし半円形状の嵌込凹部となしておくことができる。
このようにしておけば、バルブユニットを単に上から下向きに押し込むだけで良く、簡単に第二支持部によってバルブユニットを支持させることができる。
【００２３】
請求項２のものは、第二支持部の嵌込凹部に沿って対応した形状の弾性部材を装着しておき、その弾性部材を弾性圧縮させる状態でバルブユニットを嵌込凹部に嵌め込むようになしたもので、この請求項２の場合、剛性の第二支持部に対してバルブユニットを嵌め込むようにした場合においても、その弾性部材の弾性圧縮に基づいてバルブユニットを隙間なく且つ弾性部材によりバルブユニットを締め付けた状態で嵌込凹部に嵌め込んで支持させることができ、従ってがたつきなく第二支持部によりバルブユニットを支持することができる。
【００２４】
請求項３のものは、バルブユニットの軸端部に設けた給水管接続用の雄ねじ部にナットを螺合し、そのナットとバルブユニットのフランジ部とで第一支持部を軸方向に挟み付ける状態にねじ固定するようになしたもので、このようにすることによりバルブユニットの一端側を強固に固定でき、これにより他の１箇所を単に第二支持部により下側から支持するだけでも、バルブユニットを取付プレートに対し強固に固定状態となすことができる。
【００２５】
請求項４のものは、第一支持部に嵌込凹部を設けてそこにバルブユニットを嵌め込んだ上で、雄ねじ部とナットとによりバルブユニットを第一支持部に対しねじ固定するようになしたもので、このようにしておけば、従来のように第一支持部に挿通孔を設けて、そこにバルブユニットの雄ねじ部を挿通した上でナットを締め込むといった面倒なことを行わなくても良く、バルブユニットを第一支持部の嵌込凹部に軸直角方向に嵌め込んでねじ固定できるため固定作業が容易であり、また場合によって予めバルブユニットにナットを嵌め合せておいて、その状態でバルブユニットを第一支持部の嵌込凹部に嵌め込み、その後にナットを締め付けることでバルブユニットの第一支持部へのねじ固定を行うことも可能となり、固定作業を更に容易に行うことができる。
【００２６】
請求項５のものは、第一支持部にバルブユニットの管軸方向に沿って突き出した掛止爪を設け、その掛止爪をバルブユニットの外面に掛止させるようになしたもので、このようにしておけば第一支持部に対するバルブユニットのねじ固定部においてナットが僅かに緩むようなことがあっても、その掛止爪の掛止作用によりバルブユニットが第一支持部の嵌込凹部から外れてしまうといったことを防止できる。
即ち第一支持部の嵌込凹部にバルブユニットを嵌め込んで固定するようになした場合においても、ナットの僅かな緩みによってバルブユニットが嵌込凹部の開放部から抜け出してしまうことを掛止爪の作用により確実に防止できる。
【００２７】
【実施例】
次に本発明の実施例を図面に基づいて詳しく説明する。
図１及び図２において、１０は鉢１２及び垂受部１４を有する陶器製の小便器本体で、鉢面上部にスプレッダー（放水部）１６が設けられており、そのスプレッダー１６から洗浄水が下向きに且つ放射状に噴射されるようになっている。
尚、この例では小便器本体１０には従来の図８に示すような縦のリム及びその内部のリム通水路は設けられていない。
【００２８】
１８は上部カバーであって前面にセンサ窓部２０が設けられている。この上部カバー１８の内部には、図２に示しているように自動洗浄装置２２が収容されている。
尚、図２において２４は小便器本体１０を後側の壁面に固定するための固定ブロックである。
【００２９】
この例において、小便器本体１０はその上部が後述の取付プレート４７及び固定ブロック２４にて後側の壁面に固定され、下端部は単に床上に載置されているだけであって、特に床に対し固定具にて固定されてはいない。
【００３０】
上記自動洗浄装置２２は、図３に示しているようにセンサケーシング２６とバルブユニット２８とを有している。
センサケーシング２６の内部には、上記センサ窓部２０を通じて便器使用者の有無を感知する光電式の人体感知センサ３０（図４参照）が収容されている。
【００３１】
このセンサケーシング２６の内部にはまた、後述の電磁フラッシュバルブ４２を作動制御する制御部が配設されており、センサケーシング２６から延び出したカールコード３２を通じて電磁フラッシュバルブ４２及び後述の発電機４４等に電気的に接続されている。
【００３２】
本例において、バルブユニット２８は略直線状をなしていて、上部カバー１８内部において斜め向きに配置されている。
即ち、洗浄水を流入させる側の端部（図中左端部）が前部に位置し、また反対側の端部（図中右端部）が奥部に位置するように壁面に対し斜め向きの状態で配置されている。
【００３３】
そしてその一端側、詳しくは管状を成すボデー３４の一端側が、一次側の可撓性の内部給水管３６を介して壁に埋込配管された給水元管に接続され、また他端側が図４に示す二次側の内部給水管３８を介して上記スプレッダー１６に接続されている。
尚、二次側の内部給水管３８は小便器本体１０における鉢１２の後側を下向きに延びた上、その先端が鉢面に取り付けられたスプレッダー１６に接続されている。
【００３４】
このバルブユニット２８には、止水栓４０，電磁フラッシュバルブ（電磁バルブ）４２，発電機４４が一体に組み込まれている。
ここで電磁フラッシュバルブ４２は、主水路の開閉をなす主弁４５と、主弁４５を開閉操作する電磁パイロットバルブ４６とから成っている。
【００３５】
発電機４４は、水路内の水流の勢いで羽根車を回転させて電力を発生させる。発生した電力は図示を省略する蓄電池に蓄えられる。
尚、本例の自動洗浄装置２２はその蓄電池を電源として作動することができる。但し１００Ｖの商用電源を電源として作動することもできる。而して後者の場合には発電機４４が、羽根車の回転によって水流量を検知する水量センサとして用いられる。
【００３６】
図２及び図３に示しているように、小便器本体１０の上面には金属製の取付プレート４７が固設されており、この取付プレート４７を介して上記バルブユニット２８が小便器本体１０の上面に取付固定されている。
【００３７】
取付プレート４７は、図５及び図６に示しているようにベース４８の左右両端に上向きに起立する形態のカバー固定片５０を有している。
上記の上部カバー１８は、左右の一対の側壁部が図２に示すボルト５２と押え５４とによってこのカバー固定片５０に固定され、かかる取付プレート４７を介して小便器本体１０に固定される。
【００３８】
この取付プレート４７にはまた、図５，図６に示すようにバルブユニット２８を保持するための保持部５６が一体的に設けられている。
この保持部５６は、バルブユニット２８の管軸方向に所定距離離隔した位置において上向きに起立する形態の第一支持部６０，第二支持部６２を有しており、それぞれに嵌込凹部６４，６６が形成されている。
【００３９】
ここで第一支持部６０側の嵌込凹部６４は、上向きに開口（開放）する形態の略矩形状をなしており、また第二支持部６２側の嵌込凹部６６は、上向きに開口（開放）する形態の略Ｕ字状をなしている。
また第一支持部６０には、その上端部にバルブユニット２８の管軸方向に突き出す一対の掛止爪６８が形成されている。
【００４０】
一方バルブユニット２８、詳しくはそのボデー３４の一端側には、フランジ部７０とこれに続いて断面円形の雄ねじ管部（雄ねじ部）７２が設けられており、その雄ねじ管部７２に締付ナット７３が螺合されている。
そしてそれらフランジ部７０と締付ナット７３とが第一支持部６０を管軸方向に締め付けており、これによりバルブユニット２８の一端側が第一支持部６０にねじ固定されている。
【００４１】
詳しくは、雄ねじ管部７２が嵌込凹部６４に下向きに嵌め入れられた上、第一支持部６０から突き出した雄ねじ管部７２の外周面の雄ねじに締付ナット７３がねじ込まれ、その締付力によってバルブユニット２８の一端側が第一支持部６０にねじ固定されている。
【００４２】
尚、第一支持部６０からは一対の掛止爪６８がバルブユニット２８の管軸方向に沿って突き出しており、雄ねじ管部７２を嵌込凹部６４に下向きに嵌め入れる際には、フランジ部７０が掛止爪６８に干渉しないようにしてこれを嵌込凹部６４内に嵌め入れる。その後バルブユニット２８を第一支持部６０側に僅かに押し込んでフランジ部７０を第一支持部６０に当接させ、締付ナット７３を雄ねじ管部７２にねじ込む。
【００４３】
このとき、図３（Ｂ）に示しているようにフランジ部７０の外面に対し掛止爪６８が掛止した状態となり、従ってたとえ締付ナット７３が緩んだとしても、バルブユニット２８は嵌込凹部６４から上向きに抜け出すことはない。
即ち、掛止爪６８はフランジ部７０の外面に掛止して、バルブユニット２８の一端側の嵌込凹部６４からの抜けを防止している。
【００４４】
尚、雄ねじ管部７２を嵌込凹部６４に嵌め入れた後、締付ナット７３をねじ込み、その締付力でフランジ部７０を第一支持部６０側に引き寄せて、フランジ部７０を第一支持部６０に当接させるようにしても良い。
或いはまた、予め締付ナット７３を雄ねじ管部７２に緩く嵌め合せておき、その状態で雄ねじ管部７２を嵌込凹部６４に嵌め入れた後、締付ナット７３を強くねじ込んでバルブユニット２８の一端側を第一支持部６０に固定するようにしても良い。
【００４５】
第一支持部６０から突き出した雄ねじ管部７２には、更に定流量弁７４及び雄ねじ管付のナット７６を介して上記一次側の内部給水管３６が袋ナット７８により接続され、給水元管からの水がバルブユニット２８へと供給される。
【００４６】
尚、取付プレート４７には便器固定片５８が一体的に設けられており、この便器固定片５８が上記固定ブロック２４（図２参照）に固定されるようになっている。
即ちかかる固定ブロック２４を介して後側の壁面に固定されるようになっている。
【００４７】
上記バルブユニット２８、具体的にはそのボデー３４は、電磁フラッシュバルブ４２と発電機４４との間の部分が断面円形をなしており、同部分（嵌込部）が上記の第二支持部６２の嵌込凹部６６内部に弾性部材（本例ではゴム製）８０を介して下向きに嵌め込まれ、第二支持部６２により下側から支持されている。
ここで弾性部材８０は嵌込凹部６６に対応したＵ字形状をなしている。
【００４８】
この弾性部材８０は、図３（Ｃ）に詳しく示しているように外周縁に沿って溝８２を有しており、その溝８２において第二支持部６２に嵌込状態に装着されている。
尚この溝８２の端部にはハの字状に開いたガイド部８４が設けられており、そのガイド部８４のガイド作用により弾性部材８０を第二支持部６２に容易に嵌込操作できるようになっている。
また弾性部材８０にはガイド部８４をハの字状に開いた形状に拘束するためのリブ８６が適宜間隔で一体に成形されている。
【００４９】
このように本例では第二支持部６２に、その嵌込凹部６６に沿ったＵ字形状をなす弾性部材８０を装着し、かかる弾性部材８０を介してバルブユニット２８を嵌込凹部６６に嵌め込む。このとき弾性部材８０は弾性圧縮された状態となってボデー３４の嵌込部を締め付け、従ってボデー３４の嵌込部はがたつきなく第二支持部６２により支持された状態となる。
【００５０】
前述したように本例の自動洗浄装置２２は、蓄電池を電源としても、また商用電源を電源としても作動することができる。
但し１００Ｖの商用電源を電源とする場合には、電圧降下するためのアダプタを介してセンサケーシング２６を電源と接続する。そのためにセンサケーシング２６の内部にはアダプタを収納するためのスペースが確保されている。
【００５１】
即ち本例では、蓄電池を電源とする場合においても或いはまた商用電源を電源とする場合においても共通のセンサケーシング２６にて対応することができる。
従来はそれぞれ別々のセンサケーシングを用いていたが、本例においては同一のセンサケーシング２６にて対応することができる。
【００５２】
またセンサケーシング２６内部にアダプタ収納のためのスペースが確保されているため、商用電源を電源とする場合においてアダプタを用いる必要がある場合においても、そのアダプタ設置のためのスペースをセンサケーシング２６の外部に確保しておかなくても良い利点を有する。
【００５３】
図７において９０及び９２はそれぞれ発電機４４との接続用及び電磁フラッシュバルブ４２との接続用の導線であり、９４は商用電源との接続用の導線である。
而して１００Ｖの商用電源を用いる場合にはコネクタ８８，カールコード３２を介して導線９４を商用電源と接続する。尚このとき発電機４４は水量センサとして用いられる。
【００５４】
また蓄電池を電源とする場合には導線９４は商用電源と接続されず、発電機４４が蓄電池に電力を蓄えるための本来の発電機として用いられる。
尚、導線９０，９２とコネクタ８８を介して接続されるカールコード３２は、この例では各導線９０，９２共通のものとして構成されている。
【００５５】
本例の小便器の場合、バルブユニット２８の組付けに際して１箇所のみねじ固定するだけで良く、従って組付けの手間が軽減し組付性が良好となるとともに、第二支持部６２側においては単にバルブユニット２８を嵌込凹部６６に嵌め込むだけで良いため、従来のように舌片状の被固定部を設けておいてその被固定部を第二支持部にねじ固定するといった必要がなく、バルブユニット２８の構造を単純化し、またその重量を軽量化できる利点が得られる。
【００５６】
また本例では第二支持部６２の嵌込凹部６６に弾性部材８０を装着し、その弾性部材８０を弾性圧縮させる状態でバルブユニット２８を嵌込凹部６６に嵌め込むようにしていることから、剛性の第二支持部６２に対してバルブユニット２８を嵌め込むに際し、弾性部材８０の弾性圧縮に基づいてバルブユニット２８を隙間なく且つバルブユニット２８を締め付けた状態で嵌込凹部６６に嵌め込み、支持させることができ、従ってがたつきなく第二支持部６２によりバルブユニット２８を支持できる。
【００５７】
また本例では第一支持部６０に嵌込凹部６４を設けてそこにバルブユニット２８を嵌め込んだ上で、雄ねじ管部７２と締付ナット７３とによりバルブユニット２８を第一支持部６０にねじ固定するようにしているため、従来のように第一支持部に挿通孔を設けてそこにバルブユニットの雄ねじ部を挿通した上でナット締めを行うといった面倒なことを行わなくても良く、バルブユニット２８を第一支持部６０に簡単にねじ固定することができる。
【００５８】
以上本発明の実施例を詳述したがこれはあくまで一例示である。
例えば上記実施例では単一の取付プレート４７に第一支持部６０及び第二支持部６２を設けているが、これら第一支持部６０，第二支持部６２をそれぞれ別体の取付プレートに形成するといったことも可能である。
【００５９】
更に本発明においては、場合によってバルブユニット２８及び取付プレート４７を上部カバー１８の側に取り付けるといったことも可能であるなど、本発明はその主旨を逸脱しない範囲において種々変更を加えた形態で構成可能である。
【図面の簡単な説明】
【図１】本発明の一実施例である自動洗浄装置付小便器を外観状態で示す図である。
【図２】図１の小便器を上部カバーを取り外した状態で示す図である。
【図３】図１の小便器の上部カバー１８内部の自動洗浄装置及びバルブユニットの固定部の要部を示す図である。
【図４】図１の小便器の上部を一部切り欠いて示す要部断面図である。
【図５】図３のバルブユニットとその取付プレートを示す斜視図である。
【図６】図３のバルブユニット及びその取付プレートをそれぞれ分離した状態で示す図である。
【図７】図３の自動洗浄装置の電気配線を示す図である。
【図８】従来の自動洗浄装置付小便器を上部カバーを外した状態で示す図である。
【図９】図８の自動洗浄装置の平面図及び小便器上部の一部切欠図である。
【図１０】図８の自動洗浄装置におけるバルブユニットの固定構造を示す図である。
【符号の説明】
１０  小便器本体
１６  スプレッダー（放水部）
１８  上部カバー
２２  自動洗浄装置
２８  バルブユニット
３０  人体感知センサ
３６  内部給水管
４２  電磁フラッシュバルブ（電磁バルブ）
４７  取付プレート
６０  第一支持部
６２  第二支持部
６４，６６  嵌込凹部
６８  掛止爪
７０  フランジ部
７２  雄ねじ管部（雄ねじ部）
７３  締付ナット
８０  弾性部材
【図１】
0003634197.tif 000002
【図２】
0003634197.tif 000003
【図３】
0003634197.tif 000004
【図４】
0003634197.tif 000005
【図５】
0003634197.tif 000006
【図６】
0003634197.tif 000007
【図７】
0003634197.tif 000008
【図８】
0003634197.tif 000009
【図９】
0003634197.tif 000010
【図１０】
0003634197.tif 000011